(57)【要約】      （修正有）【課題】遺体の冷却を行う遺体冷却装置において、軽量で高性能な可搬型の遺体冷却装置を提供する。【解決手段】冷却装置３にフリーピストン方式のスターリング冷凍機を用いて、冷却部分の小型化をはかり、柩本体１と蓋の間にスペーサー２を入れ、このスペーサーの短側面に冷却用の送風パイプ４と循環用の吸気パイプ５を接続し柩内部に冷却空気を送風し、遺体の冷却を行う。また、腐敗促進を抑制するためマイナスイオン発生器を設け、冷気にマイナスイオンを混在させている。冷却装置部も連結式になっているため葬儀のさいに女性一人でも持ち運びが可能となった。【選択図】図１
0003160175.tif 000002
【実用新案登録請求の範囲】
【請求項１】
柩と蓋の間に熱伝導率の低い木材又は樹脂を材質とし、柩と一体感を醸し出すように、柩と同寸のスペーサーを設け、このスペーサーに設けられたパイプ接続口と冷却装置をフレキシブルパイプで接続し、柩内の遺体を冷却することを特徴とした遺体冷却装置。
【考案の詳細な説明】
【技術分野】
【０００１】  本考案は、遺体を収容した柩を改良することなく、遺体の長期間の冷却保存ができることを可能にし、遺体の腐敗や死臭の発生を防止する冷却装置に関するものである。
【背景技術】
【０００２】  従来、遺体を冷却保存する方法としては、柩の中にドライアイスや保冷剤を入れ遺体の冷却を行っていた。しかし、ドライアイスを使用した場合、ドライアイスによって遺体の一部が凍結したり、空気中の水分が柩内で結露していた。また、現在の温暖化防止の観点から二酸化炭素の塊であるドライアイスを使用する事は、世界的な環境の流れから見ると好ましくない。また、保冷剤等も頻繁に交換しなければならず、交換を怠るとすぐに遺体の腐敗を招くことになる。【０００３】  以上のような問題を解決するために、遺体を電気的に冷却する冷却装置が使用されている。これらの冷却装置としては、ベルチェ素子を利用し柩の内部や遺体の一部を冷却する方式や、コンプレッサーを用いて柩内を冷却する方式等が知られている。
しかし、ベルチェ素子を用いた冷却では能力が低いため、遺体の火葬までに、腐敗が促進し死臭を放つことがあった。また、コンプレッサーを使用した冷却装置では葬儀等で遺体を冷却安置する場合、冷却装置そのものが重量的に重く、数人で持ち運びや移動をしなければならず、また、一度設置すると簡単に移動ができない状況にあり、使用を制限されていた。
【先行技術文献】
【特許文献】
【００４】
【特許文献１】特開平９−２８５５０７
【特許文献２】特願平４−１９４７７１
【特許文献３】特願平７−７８１９０
【特許文献６】特開２００１−３２７４０３
【考案の概要】
【考案が解決しようとする課題】
【０００５】  本考案は上記のような事情を鑑み、小型で高性能なスターリングクーラーを用いて、軽量で移動が容易な且つ低消費電力の遺体冷却装置を提供する事を課題とする。
【課題を解決するための手段】
【０００６】  本考案では、上記の課題を解決するために、冷却装置にツインバード工業株式会社製のフリーピストン方式のスターリング冷凍機を用いて、冷却部分の小型化をはかり、柩本体と蓋の間にスペーサーを入れ、このスペーサーの短側面に冷却用の送風パイプと循環用の吸気パイプを接続し柩内部に冷却空気を送風し、遺体の冷却を行う。【０００７】  冷却装置部も連結式になっているため葬儀のさいに女性一人でも持ち運びが可能となった。
また、腐敗促進を抑制するためマイナスイオン発生器を設け、冷気にマイナスイオンを混在させている。
【考案の効果】
【０００８】  上述のように、本考案による遺体冷却装置によって、保冷装置全体の重量の軽量化を図ることができる。また、葬儀の際に葬儀社職員が一人で斎場に持ち運びができ斎場で組立てが可能となった。
【図面の簡単な説明】
【０００９】
【図１】本考案の遺体冷却装置の全体斜視図である。
【図２】本考案の断面図である。
【図３】本考案の冷却装置立面配置図である。
【図４】本考案の冷却装置の平面配置図である。
【考案を実施するための形態】
【００１０】  柩本体と蓋の間に３０〜５０ｍｍ程度のスペーサーを入れ、スペーサーの短側面に冷気循環用のパイプ接続口を設け、冷却装置とフレキシブルパイプにて接続する。
冷却装置を分離型にすることによって装置の軽量化を図ることができ、また、スペーサーも軽量なので自在に移動が可能になった。
【実施例】
【００１１】  以下に図面に従って実施例を説明する。柩本体と蓋の間にパイプ接続口を設けたスペーサー２を入れ、冷却装置本体と連結する。連結された柩本体１内の空気は、吸気ファン１１によって吸気される。吸気された空気はスターリング冷凍機１のヒートシンクによって冷却され、冷気ダクト内の上部の送風口より遺体の足元に送出される。送出された冷気は柩内に充満し暖気は吸気ファン５より吸気され、ヒートシンク９によって冷却区され柩内に送風される。この循環によって柩内は次第に冷却され、約１〜２時間で設定された温度４〜７℃に冷却される。【００１２】  この４〜７℃という温度は遺体の腐敗を促進する細菌の繁殖抑制温度であり、また、体内微生物の活性抑制温度でもある。
この温度帯域に冷却することによって、内蔵の消化酵素も至適温度外になり、消化酵素による自己融解を抑制することができる。
さらに、内部の湿度を最適に保持するため、冷却装置部内に水タンク１２を設け、水タンク内の超音波発振機１３により水を霧状にして発生させ、湿度センサー１５で遺体保存の最適湿度７０％を保つようにコントロールされる。【００１３】  いったん冷却された槽内は温度センサー１４及び温度コントローラーによって、常時一定の温度に保たれ数日間保冷される。
柩と冷却装置本体はフレキシブルパイプで連結できるため、冷却装置本体を柩の台座の下や、柩と離して設置することが可能である。【００１４】  スペーサーは熱伝導率の低い木材又は樹脂で構成し、柩の大きさによって数種類用意する。遺族によっては豪華な柩を使用して葬儀の儀式に荘厳さをだしたいいとの思いもあり、遺体冷却に柩本体を改造したりすることは好ましくない。【００１５】  また、スペーサーに配管用の切込みを入れ、スペーサーを自在に伸縮できるようにする事も可能であるが、外観的に好ましくない。また、この場合冷気の漏れが発生する可能性が高い。スペーサーは棺と同じ木材で構成しても安価にできる。そのため、本考案では外観を重視し柩と同じ材質で数種類用意することにした。同じ材質を用いることで柩との一体感を出す事ができる。【００１６】  冷却部の内部には消臭及び腐敗防止用のマイナスイオン発生器１６が設けられており、保冷槽内部に常時マイナスイオンを送出する。これにより遺体の消臭及び腐敗抑制が行われ、死臭の低減をはかれる。
【符号の説明】
【００１７】  １  柩本体
２  スペーサー
３  冷却装置
４  冷気送風パイプ
５  吸気パイプ゜
６  接続口
７  スペーサー固定板
８  スターリング冷凍機
９  ヒートシンク
１０  ダクト
１１  吸気ファン
１２  水タンク
１３  超音波発振機
１４  温度センサー
１５  湿度センサー
１６  マイナスイオン発生器
【図１】
0003160175.tif 000003
【図２】
0003160175.tif 000004
【図３】
0003160175.tif 000005
【図４】
0003160175.tif 000006